(57)【特許請求の範囲】
【請求項１】
合成樹脂製であって、
内部に封水を備える本体部１と、
本体部１内に排水が流入させるための開口である流入口２と、
本体部１内の排水を本体部１外へ排水させるための流出口３と、
から構成される耐熱性排水トラップにおいて、
前記本体部１に、本体部１外面から外側方向にのみ凸出して構成されるリブ形状の補強用リブ４を構成したことを特徴とする耐熱性排水トラップ。
【請求項２】
前記補強用リブ４は、本体部１の熱膨張方向又は熱収縮方向に沿うように構成されることを特徴とする前記請求項１に記載の耐熱性排水トラップ。
【請求項３】
前記補強用リブ４を本体部１底面５に構成したことを特徴とする前記請求項１又は請求項２に記載の耐熱性排水トラップ。
【請求項４】
前記補強用リブ４を、本体部１に備えられる封水部６の周囲に構成したことを特徴とする前記請求項１乃至請求項３のいずれか一つに記載の耐熱性排水トラップ。
【請求項５】
前記補強用リブ４は、底面５の中心軸から外側方向に向かうように放射状に構成されていることを特徴とする前記請求項１乃至請求項４のいずれか一つに記載の耐熱性排水トラップ。
【請求項６】
前記補強用リブ４は、平面視円もしくは多角形状であって、且つ底面５の中心軸と同軸に構成されている前記請求項１乃至請求項３または請求項５のいずれか一つに記載の耐熱性排水トラップ。
【請求項７】
前記耐熱性排水トラップは、自然冷媒ヒートポンプ式電気給湯機８に用いられる耐熱性排水トラップであることを特徴とする前記請求項１乃至請求項６のいずれか一つに記載の耐熱性排水トラップ。
【請求項８】
前記補強用リブ４が放熱板の機能を備えたことを特徴とする前記請求項１乃至請求項７のいずれか一つに記載の耐熱性排水トラップ。
【発明の詳細な説明】
【技術分野】
【０００１】
本発明は、熱湯が排水されるなどして耐熱性が要求される耐熱性排水トラップである。
【背景技術】
【０００２】
図１６に示したように、現在、自然冷媒ヒートポンプ式電気給湯機が普及して久しい。この自然冷媒ヒートポンプ式電気給湯機はタンク内に水を貯水してタンク内の水を温めて利用するものであるが、このタンク内の水は９０℃以上の温度に沸き上げられており、このタンク内の沸騰したお湯を排水したり、更にはタンク内の水が温度上昇時に発生する膨張水の処理のため、排水を行わなければならない。この排水は通常、温度が９０℃以上であり、いわゆる熱湯が排水される。この自然冷媒ヒートポンプ式電気給湯機には排水装置である排水トラップが必要となる。
また、自然冷媒ヒートポンプ式電気給湯機は屋外に設置されるが、屋外の環境下では、夏場は４０℃、冬場は０℃以下となるようなことが多く、屋内に用いられる排水トラップに対してはるかに厳しい環境下に置かれることとなる。
従って、自然冷媒ヒートポンプ式電気給湯機を用いる排水トラップは、耐熱性及び耐候性に耐えうる排水トラップを用いなければならない。
【先行技術文献】
【特許文献】
【０００３】
【特許文献１】特開２００８−１１５５７４号公報
【発明の概要】
【発明が解決しようとする課題】
【０００４】
上記の条件をクリアする排水トラップとして、鋳鉄製の排水トラップがあるが、鋳鉄製の排水トラップは、必然的に費用が高くなってしまうため、比較的安価な合成樹脂製とするほうが良い。
しかしながら、合成樹脂は周囲温度の急激な変化により、熱膨張（熱が加えられると膨張する）と熱収縮（冷却されると収縮する）が何度も繰り返されると合成樹脂自身が劣化し、割れや変形が発生してしまう。
また、上記したような自然冷媒ヒートポンプ式電気給湯機は屋外に設置されるため、熱湯以外にも太陽光の紫外線にも影響される上、特に寒冷地では、冬期の外気温度と自然冷媒ヒートポンプ式電気給湯機の排水の熱湯温度という、急激な温度差によって、急激に合成樹脂が熱膨張と熱収縮を発生させ、割れがかなりの確率で発生していた。
【０００５】
従って、本発明の耐熱性排水トラップは、温度の高い排水が排出されても割れや変形が無く、更には、寒冷地の温度差がある地域や、冬期に用いられたり、更には太陽の紫外線にも耐えうる耐熱性排水トラップを提供する。
【課題を解決するための手段】
【０００６】
本発明の請求項１は、合成樹脂製であって、内部に封水を備える本体部１と、本体部１内に排水が流入させるための開口である流入口２と、本体部１内の排水を本体部１外へ排水させるための流出口３と、から構成される耐熱性排水トラップにおいて、前記本体部１に、本体部１外面から外側方向にのみ凸出して構成されるリブ形状の補強用リブ４を構成したことを特徴とする耐熱性排水トラップである。
【０００７】
本発明の請求項２は、前記補強用リブ４を、本体部１の熱膨張方向又は熱収縮方向に沿うように構成されることを特徴とする前記段落０００６に記載の耐熱性排水トラップである。
【０００８】
本発明の請求項３は、前記補強用リブ４を本体部１底面５に構成したことを特徴とする前記段落０００６又は段落０００７に記載の耐熱性排水トラップである。
【０００９】
本発明の請求項４は、前記補強用リブ４を、本体部１に備えられる封水部６の周囲に構成したことを特徴とする前記段落０００６乃至段落０００８のいずれか一つに記載の耐熱性排水トラップである。
【００１０】
本発明の請求項５は、前記補強用リブ４を、底面５の中心軸から外側方向に向かうように放射状に構成されていることを特徴とする前記段落０００６乃至段落０００８のいずれか一つに記載の耐熱性排水トラップである。
【００１１】
本発明の請求項６は、前記補強用リブ４を、平面視円もしくは多角形状であって、且つ底面５の中心軸と同軸に構成されている前記段落０００６乃至段落０００８または段落００１０のいずれか一つに記載の耐熱性排水トラップである。
【００１２】
本発明の請求項７は、前記耐熱性排水トラップを、自然冷媒ヒートポンプ式電気給湯機８に用いられる耐熱性排水トラップであることを特徴とする前記段落０００６乃至段落００１１のいずれか一つに記載の耐熱性排水トラップである。
【００１３】
前記補強用リブ４が放熱板の機能を備えたことを特徴とする前記段落０００６乃至段落００１２のいずれか一つに記載の耐熱性排水トラップ。
【発明の効果】
【００１５】
本発明の請求項１に記載の耐熱性排水トラップは、本体部１に補強用リブ４を構成したことから、自然冷媒ヒートポンプ式電気給湯機８から排水される熱湯や寒冷地における外気温の低さによる合成樹脂製の排水トラップの熱膨張及び熱収縮が発生し難く、合成樹脂製の排水トラップに割れ等が発生しない。また、補強用リブ４によって表面積が増えることにより、補強用リブ４が放熱板の役割を果たすことができ、より熱膨張及び熱収縮の発生を押さえることが出来る。
本発明の請求項２に記載の耐熱性排水トラップは、補強用リブ４を本体部１の熱膨張方向又は熱収縮方向に沿うように構成したため、熱膨張又は熱収縮の伸張方向又は収縮方向に対応することができ、より効果的に合成樹脂製の排水トラップの熱膨張及び熱収縮が発生し難くすることができ、合成樹脂製の排水トラップに割れ等が発生しない。
本発明の請求項３に記載の耐熱性排水トラップは、補強用リブ４を本体部１底面５に構成したことから、排水の流下方向となり、より強く熱による負荷が加わりやすい底面５の熱膨張又は熱収縮を効果的に防止することができる。
本発明の請求項４に記載の耐熱性排水トラップは、補強用リブ４を、本体部１に備えられる封水部６の周囲に構成したことから、排水が常時貯水されて熱による負荷が加わりやすい封水部６付近の熱膨張又は熱収縮を効果的に防止することができる。
本発明の請求項５に記載の耐熱性排水トラップは、補強用リブ４を、底面５の中心軸から外側方向に向かうように放射状に構成したことから、底面５の中心から外側方向に向かう放射状方向の熱膨張と、外側方向から中心方向に向かう放射状方向の熱収縮を効果的に防止することができる。
本発明の請求項６に記載の本発明は、補強用リブ４を、円もしくは多角形状であって、且つ底面５の中心軸と同軸に構成したので、底面５の外縁円周（多角）方向に沿うように拡径方向へ広がる熱膨張と、外縁円周（多角）に沿うように縮径方向に縮む熱収縮を効果的に防止することができる。
本発明の請求項１に記載の耐熱性排水トラップは、補強用リブ４を、本体部１外面から外側方向に凸出して構成されるリブ形状としたから、より効果的に熱膨張又は熱収縮を防止することができる。
本発明の請求項７に記載の耐熱性排水トラップは、自然冷媒ヒートポンプ式電気給湯機８に用いられる耐熱性排水トラップとしたことから、熱湯が排水される上に屋外に配置される自然冷媒ヒートポンプ式電気給湯機８の排水トラップでも、割れ等発生することないので、安価な合成樹脂製の排水トラップを用いることが出来る。
【図面の簡単な説明】
【００１６】
【図１】第１実施例の、耐熱性排水トラップを自然冷媒ヒートポンプ式電気給湯機に用いた際の概略図である。
【図２】第１実施例の耐熱性排水トラップの断面図である。
【図３】第１実施例の耐熱性排水トラップの補強用リブを示す、一部省略底面図である。
【図４】第２実施例の、耐熱性排水トラップを浴室に用いた際の断面図である。
【図５】第２実施例の耐熱性排水トラップの斜視図である。
【図６】第２実施例の耐熱性排水トラップの一部切り欠き斜視図である。
【図７】第３実施例の、耐熱性排水トラップを洗面ボウルに用いた際の断面図である。
【図８】第３実施例の耐熱性排水トラップの、図９における左側面図である。
【図９】第３実施例の耐熱性排水トラップの正面図である。
【図１０】第３実施例の耐熱性排水トラップの、図９における右側面図である。
【図１１】第３実施例の耐熱性排水トラップの、図９における底面図である。
【図１２】第３実施例の耐熱性排水トラップの断面図である。
【図１３】第３実施例の耐熱性排水トラップの斜視図である。
【図１４】その他の実施例を示す、耐熱性排水トラップの補強用リブを示す、一部省略底面図である。
【図１５】補強用リブを示す部分拡大図である。
【図１６】従来例を示す断面図である。
【発明を実施するための形態】
【００１７】
本実施例の耐熱性排水トラップは、屋外に設置される自然冷媒ヒートポンプ式電気給湯機８の排水に用いられる。
図１乃至図３に記載したように本発明の耐熱性排水トラップは、合成樹脂から構成され、以下に記載する本体部１と、流入口２と、流出口３と、補強用リブ４と、防臭パイプ７と、封水部６と、目皿１３と、から構成される。
本体部１は、有底円筒状の箱体であって、後記する流入口２や流出口３、封水部６等が構成される。
流入口２は、本体部１の上方に開口された穴であって、上方から流下される排水を本体部１内部へと流入させる為の開口である。
流出口３は、本体部１内部に流入した排水を本体外部へと排水させる開口であり、本実施例では配管を介して雨水桝９へと接続されてなる。
補強用リブ４は、図３に示すように、本体部１の底面５から外側方向に向けて凸出して構成して成り、底面５の中心軸から放射状に伸びる補強用リブ４と、更には、底面５の中心軸から円弧状に複数補強用リブ４が構成される。
防臭パイプ７は、流入口２に取り付けられる円筒状の部材であって、後記する封水部６内に下端を配置することで、本体部１内に封水を形成することができる。
封水部６は、本体内部に常時排水を貯水させることで、下水からの異臭や害虫を逆流させないために構成される。
目皿１３は、流入口２に設置される部材であって、自然冷媒ヒートポンプ式電気給湯機８からの排水中のごみや、屋外に設置されているため、屋外の落ち葉などのゴミを捕集するために構成される。
【００１８】
上記のように構成された耐熱性排水トラップは、以下のように排水される。
当該実施例では、図１に示したように自然冷媒ヒートポンプ式電気給湯機８の排水口の直下に適宜隙間を設けて配置固定されているが、自然冷媒ヒートポンプ式電気給湯機８から熱湯が排水された場合は、目皿１３を介して耐熱性排水トラップの流入口２から本体部１内へ流入し、封水部６を経由して流出口３から雨水桝９へと排出される。
このとき、熱湯が本体部１内に流入して急激に本体内部の温度が上昇し、素材である合成樹脂の熱膨張が発生するが、底面５に構成された補強用リブ４により、合成樹脂の熱膨張を極力抑えることができる。また、寒冷地等で急激に冷却されたとしても、補強用リブ４を構成しているから冷却による収縮を極力抑えることが出来る。
また、底面５の中心軸から放射状に伸びる補強用リブ４を構成したことから、本体部１底面５の中心方向から外側方向、即ち放射状方向への熱膨張又は、本体部１底面５の外側方向から中心方向、即ち放射状方向に向けての熱収縮の発生を効果的に防止することが出来る。
また、底面５の中心軸から円弧状に複数構成される補強用リブ４を構成したことから、本体部１底面５の円周方向に沿って発生する熱膨張又は熱収縮を効果的に防止することができる。
また、自然冷媒ヒートポンプ式電気給湯機８の排水は、規格によってタンクの排水口から排水トラップまでの間を最低50mmの隙間を設けなければならないと規定されているため、タンクからの排水が勢いがつき直接的に排水トラップに排水される為、排水トラップの底面５に負荷応力が過大に加わるが、本実施例では本体部１底面５に補強用リブ４を構成したことから、底面５に加わる熱湯と排水の荷重の負荷応力に耐えうることが出来る。
以上のように、補強用リブ４を構成したから、本願発明の耐熱性排水トラップは、熱による熱膨張や冷却による熱収縮に対して、割れなど発生させる事が無くなった。
また、補強用リブ４を構成したことにより、本体部１の表面積が大きくなるので、補強用リブ４が放熱板の効果となり、より熱膨張及び熱収縮を防止することができる。
【００１９】
第２実施例の耐熱性排水トラップは、屋内に設置される浴室の排水に用いられる。
本実施例は、図４に示したように浴室の洗い場パン１２の排水口に本発明の耐熱性排水トラップが接続固定され、洗い場パン１２上の排水と浴槽１１からの排水が排水される。
図４乃至図６に記載したように本発明の耐熱性排水トラップは、合成樹脂から構成され、以下に記載する本体部１と、流入口２と、流出口３と、封水部６と、補強用リブ４と、防臭パイプ７と、から構成される。
本体部１は、有底円筒状の箱体であって、後記する流入口２や流出口３、封水部６等が構成される。
流入口２は、本体部１の上方に開口された穴であって、上方から流下される排水を本体部１内部へと流入させる為の開口である。
流出口３は、本体部１内部に流入した排水を本体外部へと排水させる開口であり、本実施例では配管を介して下水管へと接続されてなる。
封水部６は、本体内部に常時排水を貯水させることで、下水からの異臭や害虫を逆流させないために構成される。本実施例では、本体部１内に構成されたオワン状の部材により、常時排水を貯水することができ、封水部６を形成することが出来る。
補強用リブ４は、図５乃至図６に示したように、オワン状の封水部６側面に、外側方向に向けて凸出して格子状に構成される。また、図示しないが本体部１の封水部６底面５にも、外側方向に向けて凸出して構成し、更に底面５の中心軸から放射状に伸びる補強用リブ４が構成される。
防臭パイプ７は、流入口２に取り付けられる円筒状の部材であって、後記する封水部６内に下端を配置することで、封水と協同して本体部１内に封水を形成することができる。
【００２０】
上記のように構成された耐熱性排水トラップは、以下のように排水される。
当該実施例では、浴室の洗い場パン１２の排水口に接続固定されているが、浴槽１１もしくは洗い場パン１２から排水された場合は、耐熱性排水トラップの流入口２もしくは枝管から本体部１内へ流入し、封水部６を経由して流出口３から最終的には下水管へと排出される。
このとき、熱湯が本体部１内に流入して急激に本体内部の温度が上昇し、素材である合成樹脂の熱膨張が発生するが、底面５に構成された補強用リブ４により、合成樹脂の熱膨張を極力抑えることができる。また、寒冷地等で急激に冷却されたとしても、補強用リブ４を構成しているから冷却による収縮を極力抑えることが出来る。
また、当該実施例の補強用リブ４は、本体側面に格子状に構成されているから、熱膨張／熱収縮による上下方向の熱膨張／熱収縮及び外周側面方向に発生する熱膨張／熱収縮を効果的に防止することが出来る。
以上のように、補強用リブ４を構成したから、本願発明の耐熱性排水トラップは、熱による熱膨張や冷却による熱収縮に対して、割れなど発生させる事が無くなった。
【００２１】
第３実施例の耐熱性排水トラップは、図７に示したように、屋内に設置される洗面ボウル１０の排水に用いられる。
図７乃至図１３に記載したように本発明の耐熱性排水トラップは、合成樹脂から構成され、以下に記載する本体部１と、流入口２と、流出口３と、封水部６と、補強用リブ４と、から構成される。
本体部１は、管体であって、後記する流入口２や流出口３、封水部６等が構成される。
流入口２は、本体部１の上方に開口され、上方から流下される排水を本体部１内部へと流入させる為の開口である。また、本実施例では、洗面ボウル１０の排水口に接続されて成る。
流出口３は、本体部１内部に流入した排水を本体外部へと排水させる開口であり、本実施例では配管を介して下水管へと接続されてなる。
封水部６は、本体部１である管体をＵ字状に屈曲して構成したいわゆる「Ｕ字トラップ」を構成する。このＵ字状に屈曲した部分に常時排水が貯水されて封水が構成されるので、下水からの害虫や異臭を逆流させない構成となっている。
補強用リブ４は、図８乃至図１１及び図１３で示したように、本体部１のＵ字状に屈曲した箇所の外周の周面方向に沿うように、外側方向に凸出して構成されるとともに、更には、Ｕ字状の封水部６の底面付近に、排水の進行方向に沿うように凸出して構成された補強用リブ４が構成されている。
【００２２】
上記のように構成された耐熱性排水トラップは、以下のように排水される。
当該実施例では、洗面ボウル１０に配管されている為、洗面ボウル１０から熱湯が排水された場合は、耐熱性排水トラップの流入口２から本体部１内へ流入し、封水部６を経由して流出口３から最終的には下水管へと排出される。
このとき、熱湯が本体部１内に流入して急激に本体内部の温度が上昇し、素材である合成樹脂の熱膨張が発生するが、底面５に構成された補強用リブ４により、合成樹脂の熱膨張を極力抑えることができる。また、寒冷地等で急激に冷却されたとしても、補強用リブ４を構成しているから冷却による収縮を極力抑えることが出来る。
また、本体部１のＵ字状に屈曲した箇所の外側方向に凸出して構成された補強用リブ４により、Ｕ字部分（封水部６分）が、中心から封水部６分の端縁方向にむかって発生する本体部１の熱膨張と、又、封水部６分の端縁方向から中心方向に向かって発生する熱収縮の両者を効果的に防止することが出来る。
以上のように、補強用リブ４を構成したから、本願発明の耐熱性排水トラップは、熱による熱膨張や冷却による熱収縮に対して、割れなど発生させる事が無くなった。
【００２３】
本発明の耐熱性排水トラップは、上記の実施例に限定されるものではなく、請求項の範囲を超えない程度に、適宜変更は可能である。
例えば、上記実施例ではワン型排水トラップやＵ字トラップで実施しているが、その形状を特定するものではなく、封水を備えた排水トラップであれば特に問題はない。
また、上記実施例では、補強用リブ４を図１５右部分に示したように外周面から外側方向に凸出する凸リブで構成されているが、図１５左部分に示したように外周面から内側方向に凸出して表面では凹溝状に構成される凹リブで構成しても構わない。
また、上記実施例では、自然冷媒ヒートポンプ式電気給湯機８に用いられているが、これに限定されるものではなく、耐熱性が必要とされる排水トラップであれば特に問題はない。
また、上記実施例では、本体部１底面５に構成した補強用リブ４を平面視円形状に構成しているが、図１４に示したように多角形状に構成しても構わない。
【符号の説明】
【００２４】
１：本体部      
２：流入口      
３：流出口      
４：補強用リブ  
５：底面        
６：封水部      
７：防臭パイプ  
８：自然冷媒ヒートポンプ式電気給湯機
９：雨水桝      
１０：洗面ボウル
１１：浴槽      
１２：洗い場パン
１３：目皿
【図１】
0005613885.tif 000002
【図２】
0005613885.tif 000003
【図３】
0005613885.tif 000004
【図４】
0005613885.tif 000005
【図５】
0005613885.tif 000006
【図６】
0005613885.tif 000007
【図７】
0005613885.tif 000008
【図８】
0005613885.tif 000009
【図９】
0005613885.tif 000010
【図１０】
0005613885.tif 000011
【図１１】
0005613885.tif 000012
【図１２】
0005613885.tif 000013
【図１３】
0005613885.tif 000014
【図１４】
0005613885.tif 000015
【図１５】
0005613885.tif 000016
【図１６】
0005613885.tif 000017